(57)【要約】      （修正有）【課題】タッチモジュール及びタッチモジュールを有する電子計算機を提供する。【解決手段】タッチモジュール３は、上板３１と、下板３２と、ヒンジ構造３３と、弾性部材３４と、タッチパッド組立キット３５とを備える。且つタッチパッド組立キット３５は、上板３１の上方に設置され、上板３１の第一端及び下板３２の第一端がヒンジ構造３３により相互に枢着される。タッチパッド組立キット３５が押圧されると、上板３１の第二端が下板３２の第二端に対して下に向けて揺動を行うと共にタッチパッド組立キット３５のスイッチがトリガされる。タッチパッド組立キット３５が押圧されなくなると、弾性部材３４により上板３１に弾力が与えられ、上板３１の第二端が下板３２の第二端に対して上に向けて揺動を行うと共にタッチパッド組立キット３５が原位置に復位される。【選択図】図９
2019133618.tif 000002
【特許請求の範囲】
【請求項１】
上板と、
前記上板の下方に間隔を空けて設置される下板と、
前記上板の第一端と前記下板の第一端との間に位置されるヒンジ構造であって、前記上板の前記第一端及び前記下板の前記第一端は前記ヒンジ構造により相互に枢着され、前記上板の第二端が前記下板の第二端に対して揺動を行うことと、
前記上板と前記下板との間に設置される弾性部材と、
前記上板の上方に設置され、且つ下方には前記下板の前記第二端に対応させるスイッチが設置されるタッチパッド組立キットとを備え、
ここでは、前記タッチパッド組立キットが押圧されると、前記タッチパッド組立キットが前記上板の前記第二端を連動させて前記下板の前記第二端に対して下に向けて揺動させ、且つ前記スイッチがトリガされ、前記タッチパッド組立キットが押圧されなくなると、前記弾性部材により前記上板に弾力が与えられ、前記上板の前記第二端が前記下板の前記第二端に対して上に向けて揺動を行うと共に前記タッチパッド組立キットが原位置に復位されることを特徴とするタッチモジュール。
【請求項２】
前記ヒンジ構造は上板枢着穴と、下板枢着穴と、ボルトとを備え、前記ボルトは前記上板枢着穴及び前記下板枢着穴を貫通させ、且つ前記上板枢着穴は前記上板の前記第一端に形成され、前記下板枢着穴は前記下板の前記第一端に形成されることを特徴とする請求項１に記載のタッチモジュール。
【請求項３】
前記上板は下向きに延伸される上板位置決め部を備え、前記下板は前記上板位置決め部に対応させる下板貫通穴を含み、前記タッチモジュールは位置決め部材を更に含み、且つ前記位置決め部材は前記位置決め部材の外縁に形成される位置決め当接部を有し、前記位置決め当接部の外径は前記下板貫通穴の外径より大きく、前記位置決め部材が前記下板貫通穴を通過させると共に上に向けて前記上板位置決め部に挿着されると、前記位置決め当接部は前記弾性部材が前記上板に提供する前記弾力により前記下板の下表面に当接されることを特徴とする請求項１に記載のタッチモジュール。
【請求項４】
前記上板位置決め部及び前記位置決め部材の内の何れか１つは位置決めねじ穴を備え、前記上板位置決め部及び前記位置決め部材の内のもう１つは位置決めねじ山を備えることを特徴とする請求項３に記載のタッチモジュール。
【請求項５】
前記タッチパッド組立キットが押圧されると、前記上板位置決め部及び前記上板位置決め部に挿着される前記位置決め部材が共に固定枠の凹部中に進入させ、前記固定枠は前記上板、前記下板、前記ヒンジ構造、前記弾性部材、前記タッチパッド組立キット、及び前記位置決め部材の収容に用いられる収容空間を備え、且つ前記凹部は前記収容空間から下向きに延伸されることを特徴とする請求項３に記載のタッチモジュール。
【請求項６】
前記固定枠は電子計算機中に位置され、或いは前記タッチモジュールが前記固定枠を備えることを特徴とする請求項５に記載のタッチモジュール。
【請求項７】
前記タッチパッド組立キットはカブセ板と、接着層と、回路基板とを備え、前記回路基板は前記上板の上方に設置され、且つ前記回路基板及び前記カブセ板は前記接着層を介して互いに結合され、前記スイッチは前記回路基板に位置されることを特徴とする請求項１に記載のタッチモジュール。
【請求項８】
前記下板は前記スイッチに対応させる弾性部を更に備え、且つ前記弾性部は前記タッチパッド組立キットが押圧された際に前記スイッチを当接させて前記スイッチをトリガさせるために用いられることを特徴とする請求項１に記載のタッチモジュール。
【請求項９】
前記上板は前記タッチパッド組立キットが前記上板の上方に設置される際に前記スイッチが貫通させるための上板開口部を更に備えることを特徴とする請求項８に記載のタッチモジュール。
【発明の詳細な説明】
【技術分野】
【０００１】
本発明は、入力装置の分野に関し、より詳しくは、タッチ機能付きのタッチモジュール及び前記タッチモジュールを有する電子計算機に関する。
【背景技術】
【０００２】
科学技術の日進月歩の発展に連れて、勃興する電子設備が人々の生活に様々な利便性をもたらしている。このため、電子設備の操作性をより高めることが重要な課題となっている。例えば、日常生活でよく見受けられる電子設備としてノート型パソコン、携帯電話、ＧＰＳ等がある。これら前記電子設備はその保存容量及びプロセッサーの演算能力が大きく向上し続け、具備する機能も日増しに強力で複雑になっている。これら前記電子設備を効率的に操作可能にするために、電子設備のメーカーではタッチパネルを入力装置としてこれら前記電子設備の操作に用いるようになっている。
【０００３】
図１は従来のノートブックコンピュータとそのタッチパッド組立キット１の構成を示す概略図である。タッチパッド組立キット１はノート型パソコン２のハウジング２１中に設置され、且つ少なくとも部分的に外に露出されて使用者が接触してノート型パソコン２の操作を行えるようになっている。例えば、使用者が指でタッチパッド組立キット１にタッチし、タッチパッド組立キット１の上を滑らせて表示画面２２上のカーソル２３を移動させることにより、或いはタッチパッド組立キット１を押すことによりノート型パソコン２の特定の機能を実行させることができる。ゆえに、タッチパッド組立キット１がマウスの機能を代替させ、使用者がマウスを別途携帯または装設させなければならないという不便を解消させている。
【０００４】
また、図２は図１に示すタッチパッド組立キットが圧下されていない時の概略図である。図３は図２に示すタッチパッド組立キットが圧下された概略図である。ノート型パソコン２のハウジング２１は内に向けて凹む固定枠２４を有し、且つ固定枠２４内の対向し合う両側に固定枠２４内に向けて延伸される可撓構造２４１及びスイッチ接触部２４２がそれぞれ設置される。タッチパッド組立キット１の第一端１１は可撓構造２４１に連結され、タッチパッド組立キット１の第二端１２が可撓構造２４１を支点としてスイッチ接触部２４２に対して揺動を行う。これ以外にも、タッチパッド組立キット１の第二端１２の下方にはスイッチ接触部２４２に対応させるスイッチ１３が設置される。
【０００５】
さらに、使用者によりタッチパッド組立キット１が押圧されると、タッチパッド組立キット１の第二端１２が可撓構造２４１を支点としてスイッチ接触部２４２に対して下に向けて揺動を行い、タッチパッド組立キット１のスイッチ１３が固定枠２４のスイッチ接触部２４２に当接されてスイッチ１３がトリガされ、対応させる命令信号がノート型パソコン２に出力される。使用者がタッチパッド組立キット１の押圧をやめると、タッチパッド組立キット１の第二端１２はスイッチ１３の弾力及び可撓構造２４１の弾力によりスイッチ接触部２４２に対して上に向けて揺動を行い、タッチパッド組立キット１が原位置に復位される。
【先行技術文献】
【特許文献】
【０００６】
【特許文献１】米国特許第ＵＳ８４４１４５号明細書
【特許文献２】米国特許第ＵＳ８４４１４５号明細書
【発明の概要】
【発明が解決しようとする課題】
【０００７】
しかしながら、前述した従来の技術では、すなわち、従来のタッチパッド組立キット１の欠点は、タッチパッド組立キット１の第二端１２が初期状態では（すなわち、タッチパッド組立キット１が押圧されていない状態）、スイッチ接触部２４２との間の距離Ｌ１を固定に維持制御させるのが難しく、このため、タッチパッド組立キット１が初期状態では（すなわち、タッチパッド組立キット１が押圧されていない状態）すぐに上に向けて固定枠２４から突出されるか固定枠２４より低くなり、ひいては傾斜して非水平面の状態になることであった。
【０００８】
上記課題を解決するために、固定枠２４及びタッチパッド組立キット１の内の少なくとも１つに位置決め部材を増設させ（図示せず）、タッチパッド組立キット１の位置を固定させている（例えば、特許文献１及び特許文献２参照）。しかしながら、位置決め部材を増設するという技術手段のためにノート型パソコン２及びそのタッチパッド組立キット１の製造プロセスが複雑になり、タッチパッド組立キット１をノート型パソコン２に装設させる難度も増した。このため、タッチパッド組立キット１をノート型パソコン２に装設させる利便性及びタッチパッド組立キット１の定位の信頼性を兼ね備えるようにすることが解決が待たれる課題であった。
【０００９】
また、図１に示すように、Ａ領域及びＢ領域はタッチパッド組立キット１の２つの角部にそれぞれ位置され、タッチパッド組立キット１の第二端１２の対向し合う両側に位置される。従来のタッチパッド組立キット１の他の欠点は、上述のノート型パソコン２及びそのタッチパッド組立キット１の構造についての説明のように、使用者によりＡ領域及びＢ領域の内の何れか１つが押圧されると、Ａ領域が下に向けて移動する幅とＢ領域が下に向けて移動する幅との差が大きすぎることである。使用者はＡ領域及びＢ領域の内の何れか１つを押圧した際にＡ領域が下に向けて移動する幅とＢ領域が下に向けて移動する幅とがほぼ同じになることを望んでいる。
【００１０】
そこで、本発明者は上記の欠点が改善可能と考え、鋭意検討を重ねた結果、合理的設計で上記の課題を効果的に改善する本発明の提案に到った。
【００１１】
本発明はこうした状況に鑑みてなされたものであり、その目的は、モジュール化することにより装設の利便性及び定位の信頼性を兼ね備えるタッチモジュールを提供することにある。
【００１２】
本発明の他の目的は、上記のタッチモジュールを有する電子計算機を提供することにある。
【課題を解決するための手段】
【００１３】
上記課題を解決するために、本発明のある態様のタッチモジュールは、
上板と、
前記上板の下方に間隔を空けて設置される下板と、
前記上板の第一端と前記下板の第一端との間に位置されるヒンジ構造であって、前記上板の前記第一端及び前記下板の前記第一端は前記ヒンジ構造により相互に枢着され、前記上板の第二端が前記下板の第二端に対して揺動を行うことと、
前記上板と前記下板との間に設置される弾性部材と、
前記上板の上方に設置され、且つ下方には前記下板の前記第二端に対応させるスイッチが設置されるタッチパッド組立キットとを備え、
ここでは、前記タッチパッド組立キットが押圧されると、前記タッチパッド組立キットが前記上板の前記第二端を連動させて前記下板の前記第二端に対して下に向けて揺動させ、且つ前記スイッチがトリガされる。前記タッチパッド組立キットが押圧されなくなると、前記弾性部材により前記上板に弾力が与えられ、前記上板の前記第二端が前記下板の前記第二端に対して上に向けて揺動を行うと共に前記タッチパッド組立キットが原位置に復位される。
【００１４】
好ましい実施態様において、本発明の別の態様の電子計算機は、
内に向けて凹む固定枠を有するハウジングと、
前記ハウジングに内設されるプロセッサーと、
前記固定枠中に設置されて前記プロセッサーに電気的に接続されるタッチモジュールとを備え、前記タッチモジュールは、
上板と、
前記上板の下方に間隔を空けて設置される下板と、
前記上板の第一端と前記下板の第一端との間に位置されるヒンジ構造であって、前記上板の前記第一端及び前記下板の前記第一端は前記ヒンジ構造により相互に枢着され、前記上板の第二端が前記下板の第二端に対して揺動を行うことと、
前記上板と前記下板との間に設置される弾性部材と、
前記上板の上方に設置され、且つ下方には前記下板の前記第二端に対応させるスイッチが設置されるタッチパッド組立キットとを更に含み、
ここでは、前記タッチパッド組立キットが押圧されると、前記タッチパッド組立キットにより前記上板の前記第二端が連動されて前記下板の前記第二端に対して下に向けて揺動を行い、且つ前記スイッチがトリガされる。前記タッチパッド組立キットが押圧されなくなると、前記弾性部材により前記上板に弾力が与えられ、前記上板の前記第二端が上に向けて揺動を行うと共に前記タッチパッド組立キットが原位置に復位される。
【発明の効果】
【００１５】
本発明に係るタッチモジュールはモジュール化された装置であり、電子計算機のケースの固定枠中にはタッチパッド組立キットに対する押圧が停止された後に原位置に復位させるための関連する構造部材を設置させる必要がなく、タッチパッド組立キットを固定させてタッチパッド組立キットが固定枠から突出したり、固定枠より低くなったり、傾斜して非水平面を呈することを回避させるための関連する位置決め部材を設置させる必要もない。タッチモジュール及び電子計算機の装設過程において、タッチモジュールの上板位置決め部及び位置決め部材の相互に挿着される深さを調整させ、且つタッチモジュールを電子計算機のハウジングの固定枠中に設置させて関連する電気的接続を達成させるのみで、装設の利便性及びタッチパッド組立キットの定位の信頼性が大幅に向上し、従来の技術の問題が解決する。
【図面の簡単な説明】
【００１６】
【図１】従来のノートブックコンピュータとそのタッチパッド組立キットの構成を示す概略図である。
【図２】図１に示すタッチパッド組立キットが押圧されていない場合の概略図である。
【図３】図２に示すタッチパッド組立キットが押圧された概略図である。
【図４】本発明の一実施形態の電子計算機とそのタッチモジュールの外観構成を示す概略図である。
【図５】図４に示すタッチモジュールの外観構成を示す概略図である。
【図６】図５に示すタッチモジュールの部分構成を示す傾斜の分解概略図である。
【図７】図５に示すタッチモジュールを他の角度から見た傾斜の分解概略図である。
【図８】図５に示すタッチモジュールの部分構成を示す外観の概略図である。
【図９】図４に示す電子計算機の固定枠とタッチモジュールの部分構成を示す断面の概略図である。
【図１０】図９に示すタッチモジュールのタッチパッド組立キットが接触された概略図である。
【図１１】本発明の一実施形態のタッチモジュールのある角部が押圧される場合の応力/引張強度を示す図である。
【図１２】本発明の一実施形態のタッチモジュールの他の角部が押圧される場合の応力/引張強度を示す図である。
【図１３】本発明の他の実施形態のタッチモジュールを示す応用の概略図である。
【図１４】図１３に示すタッチモジュールの部分構成を示す断面の概略図である。
【発明を実施するための形態】
【００１７】
以下、図面を参照して本発明に係るタッチモジュール及びタッチモジュールを有する電子計算機の実施形態について説明する。尚、以下に説明する実施の形態は、特許請求の範囲に記載された本発明の内容を限定するものではない。また、以下に説明される構成の全てが、本発明の必須要件であるとは限らない。
[実施形態]
【００１８】
図４は本発明の一実施形態の電子計算機とそのタッチモジュールの外観構成を示す概略図である。電子計算機４はノート型パソコンであるが、但しこれに限られず、ハウジング４１と、表示画面４２と、プロセッサー４５と、タッチモジュール３とを備え、且つプロセッサー４５はハウジング４１に内設されると共に電子計算機４の電子信号の処理に用いられる。ハウジング４１は内に向けて凹む固定枠４４を有する（図９及び図１０参照）。タッチモジュール３は固定枠４４中に設置されてプロセッサー４５に電気的に接続され、且つ少なくとも部分的にタッチモジュール３が外に露出され、使用者が接触することにより電子計算機４に対する操作を行えるようになる。例えば、使用者が指でタッチモジュール３をタッチすると共にタッチモジュール３上で滑らせて表示画面４２上のカーソル４３を移動させることにより、或いはタッチモジュール３を押すことにより電子計算機４の特定の機能を実行可能である。
【００１９】
図５は図４に示すタッチモジュールの外観構成を示す概略図である。図６は図５に示すタッチモジュールの部分構成を示す傾斜の分解概略図である。図７は図５に示すタッチモジュールを他の角度から見た傾斜の分解概略図である。図８は図５に示すタッチモジュールの部分構成を示す外観の概略図である。タッチモジュール３は上板３１と、下板３２と、ヒンジ構造３３と、弾性部材３４と、タッチパッド組立キット３５とを備える。下板３２は上板３１の下方に間隔を空けて設置され、弾性部材３４は上板３１と下板３２との間に設置される。ヒンジ構造３３は上板３１の第一端３１１と下板３２の第一端３２１との間に位置され、且つ上板３１の第一端３１１及び下板３２の第一端３２１はヒンジ構造３３により相互に枢着される。これにより、上板３１の第二端３１２が下板３２の第二端３２２に対して揺動を行う。
【００２０】
さらに、タッチパッド組立キット３５は上板３１の上方に設置され、上から下にかけて順にカブセ板３５１と、接着層３５２と、回路基板３５３とを備える。カブセ板３５１及び回路基板３５３は前記接着層３５２を介して互いに結合され、回路基板３５３はスイッチ３５４を有し、スイッチ３５４はタッチパッド組立キット３５の下方に位置されると共に下板３２の第二端３２２に対応させる。カブセ板３５１の上表面が外に露出されることにより使用者がタッチして操作可能になり、回路基板３５３は使用者がカブセ板３５１をタッチして操作したことを感知させることにより対応する電子信号を出力させ、電子計算機４が対応する命令を実行させる。本好ましい実施態様では、カブセ板３５１はガラス材質のカブセ板またはプラスチック材質のカブセ板であり、接着層３５２は感圧接着剤（Pressure  Sensitive  Adhesive、  PSA）であるが、上述のものに限られない。
【００２１】
なお、本好ましい実施態様では、上板３１及び下板３２は全て金属材質で製造され、例えば鉄材質で製造され、且つ上板３１は上板開口部３１３を更に備え、タッチパッド組立キット３５が上板３１の上方に設置される際にスイッチ３５４は上板開口部３１３を貫通させる。ヒンジ構造３３は上板枢着穴３３１と、下板枢着穴３３２と、ボルト３３３とを含み、且つ上板枢着穴３３１は上板３１の第一端３１１に形成され、下板枢着穴３３２は下板３２の第一端３２１に形成され、ボルト３３３は上板枢着穴３３１及び下板枢着穴３３２を貫通させる。こうすれば、上板３１の第二端３１２が下板３２の第二端３２２に対して揺動を行う。
【００２２】
上述は一実施形態にすぎず、上板３１の材質、下板３２の材質、スイッチ３５４及び上板３１の相対的位置関係、及びヒンジ構造３３の構成は全て上述のものに限定されず、本技術分野に習熟する者ならば実需に応じて同等の効果を有するあらゆる設計変更が可能である。例えば、ヒンジ構造３３の設計をボルト３３３を備えないように変更し、且つ上板枢着穴３３１の設計を前記上板３１の第一端３１１に形成されると共に下板枢着穴３３２の軸体に挿入させるように変更し、或いは下板枢着穴３３２の設計を下板３２の第一端３２１に形成されると共に上板枢着穴３３１の軸体に挿入させるように変更してもよい。これにより、上板３１の第二端３１２も下板３２の第二端３２２に対して揺動を行う。
【００２３】
図９は図４に示す電子計算機の固定枠とタッチモジュールの部分構成を示す断面の概略図である。図１０は図９に示すタッチモジュールのタッチパッド組立キットが接触された概略図である。電子計算機４の固定枠４４はタッチモジュール３のタッチパッド組立キット３５、上板３１、下板３２、ヒンジ構造３３、及び弾性部材３４を収容させるための収容空間４４１を有する。また、本好ましい実施形態において、下板３２は弾性部３２３を更に備え、且つ弾性部３２３は下板３２の第二端３２２に設置されると共にスイッチ３５４に対応させる。
【００２４】
タッチパッド組立キット３５のカブセ板３５１が押圧されると、タッチパッド組立キット３５により上板３１が連動され、上板３１の第二端３１２が下板３２の第二端３２２に対して下に向けて揺動を行い、且つスイッチ３５４が下板３２の弾性部３２３に当接させてトリガさせる。タッチパッド組立キット３５が押圧されなくなると、上板３１と下板３２との間に位置される弾性部材３４により上板３１に弾力が与えられ、上板３１の第二端３１２が下板３２の第二端３２２に対して上に向けて揺動を行い、且つタッチパッド組立キット３５が上板３１により連動されて原位置に復位される。タッチパッド組立キット３５のスイッチ３５４のトリガ原理は本技術分野に習熟する者には周知のものであり、よって詳述はしない。
【００２５】
本発明において、タッチモジュール３は位置決め部材３６を更に備え、上板３１は下向きに延伸される上板位置決め部３１４を更に備え、且つ位置決め部材３６は上板３１の上板位置決め部３１４に挿着されて上板３１に従って揺動を行う。下板３２は上板位置決め部３１４に対応させる下板貫通穴３２４を更に含み、且つ位置決め部材３６は位置決め部材３６の外縁に形成される位置決め当接部３６１を有し、位置決め当接部３６１の外径は下板貫通穴３２４の外径より大きい。このため、位置決め部材３６が下板３２の下板貫通穴３２４を通過させると共に上に向けて上板３１の上板位置決め部３１４に挿着されると、位置決め部材３６は弾性部材３４が上板３１に弾力を提供することにより追従して移動を行い、位置決め部材３６の位置決め当接部３６１が下板３２の下表面に当接させる。
【００２６】
また、電子計算機４のケースの固定枠４４は収容空間４４１から下向きに延伸される凹部４４２を更に有し、タッチパッド組立キット３５のカブセ板３５１が押圧される際に上板３１の上板位置決め部３１４及び上板位置決め部３１４に挿着される位置決め部材３６を進入させるための空間を提供するために主に使用される。
【００２７】
ちなみに、上述の位置決め部材３６、上板位置決め部３１４及び下板貫通穴３２４の構造設計により、位置決め部材３６及び上板位置決め部３１４が互いに挿着される深さの調整が行われ、タッチパッド組立キット３５が押圧されていない場合に上板３１と下板３２との間の間隔が特定の距離Ｌ２を保持させるように制御される（図９参照）、こうして、タッチパッド組立キット３５が押圧されていない場合の位置が固定されるように保持され、固定枠４４から上に向けて突出せず、或いは固定枠４４より低くならず、更には傾斜して非水平面の状態を呈することもなくなる。
【００２８】
本好ましい実施態様では、上板３１の上板位置決め部３１４は位置決めねじ穴の定位部を有し、位置決め部材３６は位置決めねじ山（図示せず）を有する位置決め部材３６であり、位置決めねじ穴及び位置決めねじ山により位置決め部材３６が上板位置決め部３１４に挿入される深さが調整され、これにより上板３１と下板３２との間の間隔が特定の距離Ｌ２を保持させるように制御される。上述は一実施形態にすぎず、位置決め部材３６及び上板位置決め部３１４の実施態様は上述のものに限られず、本技術分野に習熟する者ならば実需に応じて同等の効果を有するあらゆる設計変更が可能である。例えば、上板３１の上板位置決め部３１４の設計を位置決めねじ山（図示せず）を有する定位部に変更してもよく、位置決め部材３６の設計を位置決めねじ穴を有する位置決め部材３６に変更してもよい。こうして、位置決めねじ穴及び位置決めねじ山により上板位置決め部３１４及び位置決め部材３６が互いに挿着される深さが調整され、上板３１と下板３２との間の間隔が特定の距離Ｌ２を保持させるように制御される。
【００２９】
また、図１１は本発明のタッチモジュールのある角部が圧下される時の応力/引張強度を示す図である。図１２は本発明のタッチモジュールの他の角部が圧下される時の応力/引張強度を示す図である。図１１に示すＣ領域及び図１２に示すＤ領域はタッチパッド組立キット３５のカブセ板３５１の２つの角部にそれぞれ位置され、且つ上板３１の第二端３１２の対向し合う両側にそれぞれ対応させる。図１１に示す破線矢印はタッチモジュール３がＣ領域で押圧された後の応力/引張強度を表し、図１２に示す破線矢印はタッチモジュール３がＤ領域で押圧された後の応力/引張強度を表す。図１１及び図１２に示されるように、本案はタッチモジュール３中にヒンジ構造３３が設置されるため、Ｃ領域及びＤ領域の内の何れか１つが押圧された際にＣ領域が下に向けて移動する幅とＤ領域が下に向けて移動する幅とがほぼ等しくなる。
【００３０】
以上の説明から分かるように、本発明に係るタッチモジュール３はモジュール化された装置であり、電子計算機４のケースの固定枠４４中にはタッチパッド組立キット３５に対する押圧が停止した後に原位置に復位させるための関連する構造部材の設置が不要であり、タッチパッド組立キット３５を固定させてタッチパッド組立キット３５が固定枠４４から突出したり、固定枠４４より低くなったり、傾斜して非水平面を呈することを回避させるための関連する位置決め部材３６の設置も不要である。タッチモジュール３及び電子計算機４の装設過程において、タッチモジュール３の上板位置決め部３１４及び位置決め部材３６の相互に挿着される深さを調整し、且つタッチモジュール３を電子計算機４のハウジング４１の固定枠４４中に設置させて関連する電気的接続を達成させるのみで、装設の利便性及びタッチパッド組立キット３５の定位の信頼性が大幅に向上する。
【００３１】
当然ながら、上述は一実施形態にすぎず、本技術分野に習熟する者ならば実需に応じて同等の効果を有するあらゆる設計変更が可能である。例えば、タッチモジュールの設計を電子計算機の外に独立する入力装置に変更してもよい。図１３は本発明の他の実施形態のタッチモジュールを示す応用の概略図である。図１４は図１３に示すタッチモジュールの部分構成を示す断面の概略図である。本好ましい実施形態に係るタッチモジュール３’は前述の実施形態のものに大方相似し、よって再述はしない。異なる箇所は、タッチモジュール３’がタッチパッド組立キット３５、上板３１、下板３２、ヒンジ構造３３、及び弾性部材３４を収容させるための固定枠３７を更に備え、且つタッチモジュール３’がユニバーサルシリアルバス（USB）５を介してデスクトップパソコン６に接続される点である。
【００３２】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３３】
１  タッチパッド組立キット
２  ノート型パソコン
３  タッチモジュール
３’タッチモジュール
４  電子計算機
５  ユニバーサルシリアルバス
６  デスクトップパソコン
１１  タッチパッド組立キットの第一端
１２  タッチパッド組立キットの第二端
１３  スイッチ
２１  ハウジング
２２  表示画面
２３  カーソル
２４  固定枠
３１  上板
３２  下板
３３  ヒンジ構造
３４  弾性部材
３５  タッチパッド組立キット
３６  位置決め部材
３７  固定枠
４１  ハウジング
４２  表示画面
４３  カーソル
４４  固定枠
４５  プロセッサー
２４１  可撓構造
２４２  スイッチ接触部
３１１  上板の第一端
３１２  上板の第二端
３１３  上板開口部
３１４  上板位置決め部
３２１  下板の第一端
３２２  下板の第二端
３２３  弾性部
３２４  下板貫通穴
３３１  上板枢着穴
３３２  下板枢着穴
３３３  ボルト
３５１  カブセ板
３５２  接着層
３５３  回路基板
３５４  スイッチ
３６１  位置決め当接部
４４１  収容空間
４４２  凹部
Ａ  領域
Ｂ  領域
Ｃ  領域
Ｄ  領域
Ｌ１  距離
Ｌ２  距離
【図１】
2019133618.tif 000003
【図２】
2019133618.tif 000004
【図３】
2019133618.tif 000005
【図４】
2019133618.tif 000006
【図５】
2019133618.tif 000007
【図６】
2019133618.tif 000008
【図７】
2019133618.tif 000009
【図８】
2019133618.tif 000010
【図９】
2019133618.tif 000011
【図１０】
2019133618.tif 000012
【図１１】
2019133618.tif 000013
【図１２】
2019133618.tif 000014
【図１３】
2019133618.tif 000015
【図１４】
2019133618.tif 000016